(57)【要約】  本発明は、データ伝送方法、装置及びコンピュータ記憶媒体を開示し、前記方法は、端末がネットワークにデータ及び前記データに対応する属性情報を送信することと、ネットワークが端末にデータ及び前記データに対応する属性情報を送信することとを含み、ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含む。
2021514561.tif 000002
【特許請求の範囲】
【請求項１】
端末がネットワークにデータ及び前記データに対応する属性情報を送信することを含み、
前記データに対応する属性情報は、
サービス品質ＱｏＳフロー情報、プロトコルデータユニットＰＤＵセッション情報、ネットワークスライス情報、データ送信の外部ネットワーク情報、端末の識別情報のうちの少なくとも１つを含む
ことを特徴とするデータ伝送方法。
【請求項２】
前記端末がネットワークにデータ及び前記データに対応する属性情報を送信することは、
前記端末がアクセスネットワーク要素に第１のＰＤＵを送信することを含み、
前記第１のＰＤＵが第１のヘッダー及び第２のＰＤＵを含み、
前記第１のヘッダーが前記データに対応する属性情報を含み、前記第２のＰＤＵが前記データを含む
ことを特徴とする請求項１に記載のデータ伝送方法。
【請求項３】
前記端末がネットワークにデータ及び前記データに対応する属性情報を送信することは、
前記端末がアクセスネットワーク要素に第１のＰＤＵを送信することを含み、前記第１のＰＤＵが第１のヘッダー及び第２のＰＤＵを含み、
前記第２のＰＤＵが前記データに対応する属性情報及び前記データを含む
ことを特徴とする請求項１に記載のデータ伝送方法。
【請求項４】
前記第１のＰＤＵがＲＲＣ  ＰＤＵであり、前記第２のＰＤＵが非アクセス層ＮＡＳ  ＰＤＵである
ことを特徴とする請求項２又は３に記載のデータ伝送方法。
【請求項５】
ネットワークが端末にデータ及び前記データに対応する属性情報を送信することを含み、
前記データに対応する属性情報は、
ＱｏＳフロー情報、ＰＤＵセッション情報、ネットワークスライス情報、データ送信の外部ネットワーク情報、端末の識別情報のうちの少なくとも１つを含む
ことを特徴とするデータ伝送方法。
【請求項６】
前記ネットワークが端末にデータ及び前記データに対応する属性情報を送信することは、
コアネットワーク要素がアクセスネットワーク要素に第３のＰＤＵを送信することと、
前記アクセスネットワーク要素が前記第３のＰＤＵの第２のヘッダーから前記データに対応する属性情報を解析し、第１のＰＤＵをカプセル化し前記端末に前記第１のＰＤＵを送信することとを含み、
前記第３のＰＤＵが第２のヘッダー及び第２のＰＤＵを含み、前記第２のヘッダーが前記データに対応する属性情報を含み、前記第２のＰＤＵが前記データを含み、前記第１のＰＤＵが第１のヘッダー及び前記第２のＰＤＵを含み、前記第１のヘッダーが前記データに対応する属性情報を含む
ことを特徴とする請求項５に記載のデータ伝送方法。
【請求項７】
前記ネットワークが端末にデータ及び前記データに対応する属性情報を送信することは、
コアネットワーク要素がアクセスネットワーク要素に第３のＰＤＵを送信することと、
前記アクセスネットワーク要素が前記第３のＰＤＵに基づいて第１のＰＤＵをカプセル化し前記端末に前記第１のＰＤＵを送信することとを含み、
前記第３のＰＤＵが第２のヘッダー及び第２のＰＤＵを含み、前記第２のＰＤＵが前記データに対応する属性情報及び前記データを含み、前記第１のＰＤＵが第１のヘッダー及び前記第２のＰＤＵを含む
ことを特徴とする請求項５に記載のデータ伝送方法。
【請求項８】
前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである
ことを特徴とする請求項６又は７に記載のデータ伝送方法。
【請求項９】
ネットワークが端末により送信されたデータ及び前記データに対応する属性情報を受信することと、
前記ネットワークが前記データの属性情報に基づいて、コアネットワークの経路構成を確立、活性化又は修正し、前記経路構成に基づいて前記データを外部ネットワークに送信することとを含み、
前記データに対応する属性情報は、ＱｏＳフロー情報、ＰＤＵセッション情報、ネットワークスライス情報、データ送信の外部ネットワーク情報、端末の識別情報のうちの少なくとも１つを含む
ことを特徴とするデータ伝送方法。
【請求項１０】
前記ネットワークが端末により送信されたデータ及び前記データに対応する属性情報を受信することは、
前記アクセスネットワーク要素が端末により送信された第１のＰＤＵを受信することと、
前記アクセスネットワーク要素が前記第１のＰＤＵの第１のヘッダーから前記データに対応する属性情報を解析し、第３のＰＤＵをカプセル化しコアネットワーク要素に前記第３のＰＤＵを送信することとを含み、
前記第１のＰＤＵが第１のヘッダー及び第２のＰＤＵを含み、前記第１のヘッダーが前記データに対応する属性情報を含み、前記第２のＰＤＵが前記データを含み、前記第３のＰＤＵが第２のヘッダー及び前記第２のＰＤＵを含み、前記第２のヘッダーが前記データに対応する属性情報を含む
ことを特徴とする請求項９に記載のデータ伝送方法。
【請求項１１】
前記ネットワークが端末により送信されたデータ及び前記データに対応する属性情報を受信することは、
前記アクセスネットワーク要素が端末により送信された第１のＰＤＵを受信することと、
前記アクセスネットワーク要素が前記第１のＰＤＵに基づいて第３のＰＤＵをカプセル化しコアネットワーク要素に前記第３のＰＤＵを送信することとを含み、
前記第１のＰＤＵが第１のヘッダー及び第２のＰＤＵを含み、前記第２のＰＤＵが前記データに対応する属性情報及び前記データを含み、前記第３のＰＤＵが第２のヘッダー及び前記第２のＰＤＵを含む
ことを特徴とする請求項９に記載のデータ伝送方法。
【請求項１２】
前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである
ことを特徴とする請求項１０又は１１に記載のデータ伝送方法。
【請求項１３】
伝送ユニットを備えるデータ伝送装置であって、
前記伝送ユニットは、ネットワークにデータ及び前記データに対応する属性情報を送信するように構成され、
前記データに対応する属性情報は、
ＱｏＳフロー情報、ＰＤＵセッション情報、ネットワークスライス情報、データ送信の外部ネットワーク情報、端末の識別情報のうちの少なくとも１つを含む
ことを特徴とするデータ伝送装置。
【請求項１４】
前記伝送ユニットは、アクセスネットワーク要素に第１のＰＤＵを送信するように構成され、
前記第１のＰＤＵが第１のヘッダー及び第２のＰＤＵを含み、
前記第１のヘッダーが前記データに対応する属性情報を含み、前記第２のＰＤＵが前記データを含む
ことを特徴とする請求項１３に記載のデータ伝送装置。
【請求項１５】
前記伝送ユニットは、アクセスネットワーク要素に第１のＰＤＵを送信するように構成され、
前記第１のＰＤＵが第１のヘッダー及び第２のＰＤＵを含み、
前記第２のＰＤＵが前記データに対応する属性情報及び前記データを含む
ことを特徴とする請求項１３に記載のデータ伝送装置。
【請求項１６】
前記第１のＰＤＵがＲＲＣ  ＰＤＵであり、前記第２のＰＤＵがＮＡＳ  ＰＤＵである
ことを特徴とする請求項１４又は１５に記載のデータ伝送装置。
【請求項１７】
伝送ユニットを備えるデータ伝送装置であって、
伝送ユニットは、端末にデータ及び前記データに対応する属性情報を送信するように構成され、
前記データに対応する属性情報は、
ＱｏＳフロー情報、ＰＤＵセッション情報、ネットワークスライス情報、データ送信の外部ネットワーク情報、端末の識別情報のうちの少なくとも１つを含む
ことを特徴とするデータ伝送装置。
【請求項１８】
前記伝送ユニットがアクセスネットワーク伝送ユニット及びコアネットワーク伝送ユニットを含み、
前記アクセスネットワーク伝送ユニットは、アクセスネットワーク要素に第３のＰＤＵを送信するように構成され、前記第３のＰＤＵが第２のヘッダー及び第２のＰＤＵを含み、前記第２のヘッダーが前記データに対応する属性情報を含み、前記第２のＰＤＵが前記データを含み、
前記コアネットワーク伝送ユニットは、前記第３のＰＤＵの第２のヘッダーから前記データに対応する属性情報を解析し、第１のＰＤＵをカプセル化し前記端末に前記第１のＰＤＵを送信するように構成され、前記第１のＰＤＵが第１のヘッダー及び前記第２のＰＤＵを含み、前記第１のヘッダーが前記データに対応する属性情報を含む
ことを特徴とする請求項１７に記載のデータ伝送装置。
【請求項１９】
前記伝送ユニットがアクセスネットワーク伝送ユニット及びコアネットワーク伝送ユニットを含み、
前記アクセスネットワーク伝送ユニットは、アクセスネットワーク要素に第３のＰＤＵを送信するように構成され、前記第３のＰＤＵが第２のヘッダー及び第２のＰＤＵを含み、前記第２のＰＤＵが前記データに対応する属性情報及び前記データを含み、
前記コアネットワーク伝送ユニットは、前記第３のＰＤＵに基づいて第１のＰＤＵをカプセル化し、前記端末に前記第１のＰＤＵを送信するように構成され、前記第１のＰＤＵが第１のヘッダー及び前記第２のＰＤＵを含む
ことを特徴とする請求項１７に記載のデータ伝送装置。
【請求項２０】
前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである
ことを特徴とする請求項１８又は１９に記載のデータ伝送装置。
【請求項２１】
伝送ユニットを備えるデータ伝送装置であって、
伝送ユニットは、端末により送信されたデータ及び前記データに対応する属性情報を受信し、前記データの属性情報に基づいてコアネットワークの経路構成を確立又は活性化又は修正し、前記経路構成に基づいて前記データを外部ネットワークに送信するように構成され、
前記データに対応する属性情報は、ＱｏＳフロー情報、ＰＤＵセッション情報、ネットワークスライス情報、データ送信の外部ネットワーク情報、端末の識別情報のうちの少なくとも１つを含む
ことを特徴とするデータ伝送装置。
【請求項２２】
前記伝送ユニットがアクセスネットワーク伝送ユニット及びコアネットワーク伝送ユニットを含み、
アクセスネットワーク伝送ユニットは、端末により送信された第１のＰＤＵを受信し、
前記第１のＰＤＵの第１のヘッダーから前記データに対応する属性情報を解析し、第３のＰＤＵをカプセル化しコアネットワーク要素に前記第３のＰＤＵを送信するように構成され、
前記第１のＰＤＵが第１のヘッダー及び第２のＰＤＵを含み、前記第１のヘッダーが前記データに対応する属性情報を含み、前記第２のＰＤＵが前記データを含み、前記第３のＰＤＵが第２のヘッダー及び前記第２のＰＤＵを含み、前記第２のヘッダーが前記データに対応する属性情報を含み、
コアネットワーク伝送ユニットは、前記データの属性情報に基づいてコアネットワークの経路構成を確立又は活性化又は修正し、前記経路構成に基づいて前記データを外部ネットワークに送信するように構成される
ことを特徴とする請求項２１に記載のデータ伝送装置。
【請求項２３】
前記伝送ユニットがアクセスネットワーク伝送ユニット及びコアネットワーク伝送ユニットを含み
アクセスネットワーク伝送ユニットは、端末により送信された第１のＰＤＵを受信し、
前記第１のＰＤＵに基づいて第３のＰＤＵをカプセル化しコアネットワーク要素に前記第３のＰＤＵを送信するように構成され、
前記第１のＰＤＵが第１のヘッダー及び第２のＰＤＵを含み、前記第２のＰＤＵが前記データに対応する属性情報及び前記データを含み、前記第３のＰＤＵが第２のヘッダー及び前記第２のＰＤＵを含み、
コアネットワーク伝送ユニットは、前記データの属性情報に基づいてコアネットワークの経路構成を確立又は活性化又は修正し、前記経路構成に基づいて前記データを外部ネットワークに送信するように構成される
ことを特徴とする請求項２１に記載のデータ伝送装置。
【請求項２４】
前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである
ことを特徴とする請求項２２又は２３に記載のデータ伝送装置。
【請求項２５】
プロセッサによって実行されると、請求項１〜４のいずれか１項に記載の方法ステップ、または請求項５〜８のいずれか１項に記載の方法ステップ、または請求項９〜１２のいずれか１項に記載の方法ステップを実施するコンピュータ実行可能命令を記憶している
ことを特徴とするコンピュータ記憶媒体。
【発明の詳細な説明】
【技術分野】
【０００１】
本発明は、無線通信技術分野に関し、特に、データ伝送方法、装置及びコンピュータ記憶媒体に関する。
【背景技術】
【０００２】
ロングタームエボリューション(  ＬＴＥ、Ｌｏｎｇ  Ｔｅｒｍ  Ｅｖｏｌｕｔｉｏｎ  )の小データ伝送方式では、頻繁ではない小データが制御プレーンで送信され、ここで、小データが非アクセス層(  ＮＡＳ、非アクセス層)のプロトコルデータユニット(  ＰＤＵ、Ｐｒｏｔｏｃｏｌ  Ｄａｔａ  Ｕｎｉｔ  )にカプセル化され、制御プレーンでＮＡＳメッセージを介して伝送される。
【０００３】
従来のプロトコルでは、端末やネットワーク側が制御プレーンを介して小データを伝送すると、そのデータのベアラ情報が含まれる。第５世代移動通信(  ５Ｇ、５  ｔｈ  Ｇｅｎｅｒａｔｉｏｎ  )システムでは、データがベアラ情報を持たなく、ＰＤＵセッション情報、サービス品質(  ＱｏＳ、Ｑｕａｌｉｔｙ  ｏｆ  Ｓｅｒｖｉｃｅ  )フロー情報、ネットワークスライス情報などのデータの関連情報を導入して、５Ｇシステムでデータの上記の関連情報を如何に指示してデータを円滑に伝送するかが課題となる。
【発明の概要】
【０００４】
本発明の実施例は、以上の課題を解決するために、データ伝送方法、装置及びコンピュータ記憶媒体を提供する。
【０００５】
本発明の実施例は、データ伝送方法を提供し、
端末がネットワークにデータ及び前記データに対応する属性情報を送信することを含み、ここで、前記データに対応する属性情報は、
ＱｏＳフロー情報、ＰＤＵセッション情報、ネットワークスライス情報、データ送信の外部ネットワーク情報、端末の識別情報のうちの少なくとも１つを含む。
【０００６】
本発明の実施例において、前記端末がネットワークにデータ及び前記データに対応する属性情報を送信することは、
前記端末がアクセスネットワーク要素に第１のＰＤＵを送信することを含み、前記第１のＰＤＵが第１のヘッダー及び第２のＰＤＵを含み、
ここで、前記第１のヘッダーが前記データに対応する属性情報を含み、前記第２のＰＤＵが前記データを含む。
【０００７】
本発明の実施例において、前記端末がネットワークにデータ及び前記データに対応する属性情報を送信することは、
前記端末がアクセスネットワーク要素に第１のＰＤＵを送信することを含み、前記第１のＰＤＵが第１のヘッダー及び第２のＰＤＵを含み、
ここで、前記第２のＰＤＵが前記データに対応する属性情報及び前記データを含む。
【０００８】
本発明の実施例において、前記第１のＰＤＵがＲＲＣ  ＰＤＵであり、前記第２のＰＤＵが非アクセス層ＮＡＳ  ＰＤＵである。
【０００９】
本発明の実施例は、データ伝送方法を提供し、
ネットワークが端末にデータ及び前記データに対応する属性情報を送信することを含み、ここで、前記データに対応する属性情報は、
ＱｏＳフロー情報、ＰＤＵセッション情報、ネットワークスライス情報、データ送信の外部ネットワーク情報、端末の識別情報のうちの少なくとも１つを含む。
【００１０】
本発明の実施例において、前記ネットワークが端末にデータ及び前記データに対応する属性情報を送信することは、
コアネットワーク要素がアクセスネットワーク要素に第３のＰＤＵを送信することと、
前記アクセスネットワーク要素が前記第３のＰＤＵの第２のヘッダーから前記データに対応する属性情報を解析し、第１のＰＤＵをカプセル化し前記端末に前記第１のＰＤＵを送信することとを含み、
前記第３のＰＤＵが第２のヘッダー及び第２のＰＤＵを含み、ここで、前記第２のヘッダーが前記データに対応する属性情報を含み、前記第２のＰＤＵが前記データを含み、
前記第１のＰＤＵが第１のヘッダー及び前記第２のＰＤＵを含み、ここで、前記第１のヘッダーが前記データに対応する属性情報を含む。
【００１１】
本発明の実施例において、前記ネットワークが端末にデータ及び前記データに対応する属性情報を送信することは、
コアネットワーク要素がアクセスネットワーク要素に第３のＰＤＵを送信することと、
前記アクセスネットワーク要素が前記第３のＰＤＵに基づいて第１のＰＤＵをカプセル化し前記端末に前記第１のＰＤＵを送信することとを含み、
前記第３のＰＤＵが第２のヘッダー及び第２のＰＤＵを含み、ここで、前記第２のＰＤＵが前記データに対応する属性情報及び前記データを含み、
前記第１のＰＤＵが第１のヘッダー及び前記第２のＰＤＵを含む。
【００１２】
本発明の実施例において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００１３】
本発明の実施例は、データ伝送方法を提供し、
ネットワークが端末により送信されたデータ及び前記データに対応する属性情報を受信することと、
前記ネットワークが前記データの属性情報に基づいて、コアネットワークの経路構成を確立、活性化又は修正し、前記経路構成に基づいて前記データを外部ネットワークに送信することとを含み、
ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含む。
【００１４】
本発明の実施例において、前記ネットワークが端末により送信されたデータ及び前記データに対応する属性情報を受信することは、
前記アクセスネットワーク要素が端末により送信された第１のＰＤＵを受信することと、
前記アクセスネットワーク要素が前記第１のＰＤＵの第１のヘッダーから前記データに対応する属性情報を解析し、第３のＰＤＵをカプセル化しコアネットワーク要素に前記第３のＰＤＵを送信することとを含み、
前記第１のＰＤＵが第１のヘッダー及び第２のＰＤＵを含み、ここで、前記第１のヘッダーが前記データに対応する属性情報を含み、前記第２のＰＤＵが前記データを含み、前記第３のＰＤＵが第２のヘッダー及び前記第２のＰＤＵを含み、ここで、前記第２のヘッダーが前記データに対応する属性情報を含む。
【００１５】
本発明の実施例において、前記ネットワークが端末により送信されたデータ及び前記データに対応する属性情報を受信することは、
前記アクセスネットワーク要素が端末により送信された第１のＰＤＵを受信することと、
前記アクセスネットワーク要素が前記第１のＰＤＵに基づいて第３のＰＤＵをカプセル化しコアネットワーク要素に前記第３のＰＤＵを送信することとを含み、
前記第１のＰＤＵが第１のヘッダー及び第２のＰＤＵを含み、ここで、前記第２のＰＤＵが前記データに対応する属性情報及び前記データを含み、前記第３のＰＤＵが第２のヘッダー及び前記第２のＰＤＵを含む。
【００１６】
本発明の実施例において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００１７】
本発明の実施例は、伝送ユニットを備えるデータ伝送装置を提供し、
伝送ユニットは、ネットワークにデータ及び前記データに対応する属性情報を送信するように構成され、ここで、前記データに対応する属性情報は、
ＱｏＳフロー情報、ＰＤＵセッション情報、ネットワークスライス情報、データ送信の外部ネットワーク情報、端末の識別情報のうちの少なくとも１つを含む。
【００１８】
本発明の実施例において、前記伝送ユニットは、アクセスネットワーク要素に第１のＰＤＵを送信するように構成され、前記第１のＰＤＵが第１のヘッダー及び第２のＰＤＵを含み、
ここで、前記第１のヘッダーが前記データに対応する属性情報を含み、前記第２のＰＤＵが前記データを含む。
【００１９】
本発明の実施例において、前記伝送ユニットは、アクセスネットワーク要素に第１のＰＤＵを送信するように構成され、前記第１のＰＤＵが第１のヘッダー及び第２のＰＤＵを含み、
ここで、前記第２のＰＤＵが前記データに対応する属性情報及び前記データを含む。
【００２０】
本発明の実施例において、前記第１のＰＤＵがＲＲＣ  ＰＤＵであり、前記第２のＰＤＵがＮＡＳ  ＰＤＵである。
【００２１】
本発明の実施例は、伝送ユニットを備えるデータ伝送装置を提供し、
伝送ユニットは、端末にデータ及び前記データに対応する属性情報を送信するように構成され、ここで、前記データに対応する属性情報は、
ＱｏＳフロー情報、ＰＤＵセッション情報、ネットワークスライス情報、データ送信の外部ネットワーク情報、端末の識別情報のうちの少なくとも１つを含む。
【００２２】
本発明の実施例において、前記伝送ユニットが、アクセスネットワーク伝送ユニット及びコアネットワーク伝送ユニットを含み、
アクセスネットワーク伝送ユニットは、アクセスネットワーク要素に第３のＰＤＵを送信するように構成され、前記第３のＰＤＵが第２のヘッダー及び第２のＰＤＵを含み、ここで、前記第２のヘッダーが前記データに対応する属性情報を含み、前記第２のＰＤＵが前記データを含み、
コアネットワーク伝送ユニットは、前記第３のＰＤＵの第２のヘッダーから前記データに対応する属性情報を解析し、第１のＰＤＵをカプセル化し前記端末に前記第１のＰＤＵを送信するように構成され、前記第１のＰＤＵが第１のヘッダー及び前記第２のＰＤＵを含み、ここで、前記第１のヘッダーが前記データに対応する属性情報を含む。
【００２３】
本発明の実施例において、前記伝送ユニットがアクセスネットワーク伝送ユニット及びコアネットワーク伝送ユニットを含み、
アクセスネットワーク伝送ユニットは、アクセスネットワーク要素に第３のＰＤＵを送信するように構成され、前記第３のＰＤＵが第２のヘッダー及び第２のＰＤＵを含み、ここで、前記第２のＰＤＵが前記データに対応する属性情報及び前記データを含み、
コアネットワーク伝送ユニットは、前記第３のＰＤＵに基づいて第１のＰＤＵをカプセル化し、前記端末に前記第１のＰＤＵを送信するように構成され、前記第１のＰＤＵが第１のヘッダー及び前記第２のＰＤＵを含む。
【００２４】
本発明の実施例において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００２５】
本発明の実施例は、伝送ユニットを備えるデータ伝送装置を提供し、
伝送ユニットは、端末により送信されたデータ及び前記データに対応する属性情報を受信し、ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含み、前記データの属性情報に基づいてコアネットワークの経路構成を確立又は活性化又は修正し、前記経路構成に基づいて前記データを外部ネットワークに送信するように構成される。
【００２６】
本発明の実施例において、前記伝送ユニットがアクセスネットワーク伝送ユニット及びコアネットワーク伝送ユニットを含み、
アクセスネットワーク伝送ユニットは、端末により送信された第１のＰＤＵを受信し、前記第１のＰＤＵが第１のヘッダー及び第２のＰＤＵを含み、ここで、前記第１のヘッダーが前記データに対応する属性情報を含み、前記第２のＰＤＵが前記データを含み、前記第１のＰＤＵの第１のヘッダーから前記データに対応する属性情報を解析し、第３のＰＤＵをカプセル化しコアネットワーク要素に前記第３のＰＤＵを送信し、前記第３のＰＤＵが第２のヘッダー及び前記第２のＰＤＵを含み、ここで、前記第２のヘッダーが前記データに対応する属性情報を含み、
コアネットワーク伝送ユニットは、前記データの属性情報に基づいてコアネットワークの経路構成を確立又は活性化又は修正し、前記経路構成に基づいて前記データを外部ネットワークに送信するように構成される。
【００２７】
本発明の実施例において、前記伝送ユニットがアクセスネットワーク伝送ユニット及びコアネットワーク伝送ユニットを含み、
アクセスネットワーク伝送ユニットは、端末により送信された第１のＰＤＵを受信し、前記第１のＰＤＵが第１のヘッダー及び第２のＰＤＵを含み、ここで、前記第２のＰＤＵが前記データに対応する属性情報及び前記データを含み、前記第１のＰＤＵに基づいて第３のＰＤＵをカプセル化しコアネットワーク要素に前記第３のＰＤＵを送信し、前記第３のＰＤＵが第２のヘッダー及び前記第２のＰＤＵを含み、
コアネットワーク伝送ユニットは、前記データの属性情報に基づいてコアネットワークの経路構成を確立又は活性化又は修正し、前記経路構成に基づいて前記データを外部ネットワークに送信するように構成される。
【００２８】
本発明の実施例において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００２９】
本発明の実施例は、プロセッサによって実行されると、上記のデータ伝送方法を実現するコンピュータ実行可能命令を記憶したコンピュータ記憶媒体を提供する。
【００３０】
本発明の実施例による技術案において、端末がネットワークにデータ及び前記データに対応する属性情報を送信する。ネットワークが端末にデータ及び前記データに対応する属性情報を送信し、ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含む。本発明の実施例の技術案によれば、５Ｇシステムにおいてデータを伝送する際に、データの属性情報も伝送することができ、所望の経路に沿ったデータの円滑な伝送を実現することができる。
【図面の簡単な説明】
【００３１】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】本発明の実施例における５Ｇネットワークシステムアーキテクチャ構成図である。
【図２】本発明の実施例におけるデータ伝送方法のフローチャート一である。
【図３】本発明の実施例におけるデータ伝送方法のフローチャート二である。
【図４】本発明の実施例におけるデータ伝送装置の構成図一である。
【図５】本発明の実施例におけるデータ伝送装置の構成図二である。
【図６】本発明の実施例におけるコンピュータデバイスの構成図である。
【発明を実施するための形態】
【００３２】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００３３】
図１本発明の実施例における５Ｇネットワークシステムアーキテクチャ構成図であり、図１に示すように、５Ｇネットワークシステムにおけるデバイスは、
端末(  ＵＥ、Ｕｓｅｒ  Ｅｑｕｉｐｍｅｎｔ  )、無線アクセスネットワーク(  ＲＡＮ、Ｒａｄｉｏ  Ａｃｃｅｓｓ  Ｎｅｔｗｏｒｋ  )、ユーザプレーン機能(  ＵＰＦ、Ｕｓｅｒ  Ｐｌａｎｅ  Ｆｕｎｃｔｉｏｎ  )、データネットワーク(  ＤＮ、Ｄａｔａ  Ｎｅｔｗｏｒｋ  )、受信コアアクセス＆モビリティ管(  ＡＭＦ、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ  )、セッション管理機能(  ＳＭＦ、Ｓｅｓｓｉｏｎ  Ｍａｎａｇｅｍｅｎｔ  Ｆｕｎｃｔｉｏｎ  )、ポリシー制御機能(  ＰＣＦ、Ｐｏｌｉｃｙ  Ｃｏｎｔｒｏｌ  ｆｕｎｃｔｉｏｎ  )、アプリケーション機能(  ＡＦ、Ａｐｐｌｉｃａｔｉｏｎ  Ｆｕｎｃｔｉｏｎ  )、認証サーバ機能(  ＡＵＳＦ、Ａｕｔｈｅｎｔｉｃａｔｉｏｎ  Ｓｅｒｖｅｒ  Ｆｕｎｃｔｉｏｎ  )、統合データ管理(  ＵＤＭ、Ｕｎｉｆｉｅｄ  Ｄａｔａ  Ｍａｎａｇｅｍｅｎｔ  )を含む。
【００３４】
５Ｇシステムにおいて、各ＵＥは、１つまたは複数のＰＤＵセッション(  ＰＤＵ  ｓｅｓｓｉｏｎ  )を確立することができ、各ＰＤＵセッションは、複数のＱｏＳフロー(  Ｑｏｓ  ｆｌｏｗ  )を含むことができ、１つのネットワークスライスは、複数のＰＤＵセッションを有することができる。したがって、データが伝送されるとき、そのデータがどのＱｏＳフロー、どのＰＤＵセッション、どのネットワークスライスに属するかを示す必要がある。
【００３５】
上記図１の例は、本発明の実施例を実現するネットワークアーキテクチャの一例であり、本発明の実施例は、上記図１に記載されたネットワーク構成に限定されるものではない。
【００３６】
図２は本発明の実施例におけるデータ伝送方法のフローチャート一であり、図２に示すように、前記データ伝送方法は、以下のステップを含む。
【００３７】
ステップ２０１において、端末がネットワークにデータ及び前記データに対応する属性情報を送信し、ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含む。
【００３８】
本発明の実施例において、端末は、携帯電話、タブレット、ノート型パソコン、デスクトップ型パソコンなど、ネットワークと通信可能な任意の機器であってよい。
【００３９】
本発明の実施例では、端末がネットワークにデータを送信する際に、当該データの属性情報をネットワークに一緒に送信する。さらに、データおよびその属性情報は、以下の方法で伝送され得る。
【００４０】
方式一として、前記端末がアクセスネットワーク要素に第１のＰＤＵを送信し、前記第１のＰＤＵが第１のヘッダー及び第２のＰＤＵを含み、ここで、前記第１のヘッダーが前記データに対応する属性情報を含み、前記第２のＰＤＵが前記データを含む。
【００４１】
例えば、端末のＮＡＳ層は、上位層で送信されたデータを受信した後、ＮＡＳ  ＰＤＵ  (第２のＰＤＵに対応する)をカプセル化し、さらに、ＲＲＣ  ＰＤＵ  (第１のＰＤＵに対応する)をＲＲＣ層でカプセル化し、ここで、ＲＲＣ  ＰＤＵは、ＲＲＣヘッダとＮＡＳ  ＰＤＵとを含む。本発明の実施例は、ＲＲＣヘッダにデータに対応する属性情報が含まれる。その後、ＰＤＣＰ層、ＲＬＣ層、ＭＡＣ層、ＰＨＹ層等の下位層プロトコルのカプセル化が行われ、アクセスネットワーク要素に送信される。
【００４２】
アクセスネットワーク要素が端末により送信された第１のＰＤＵを受信し、前記第１のＰＤＵが第１のヘッダー及び第２のＰＤＵを含み、ここで、前記第１のヘッダーが前記データに対応する属性情報を含み、前記第２のＰＤＵが前記データを含み、アクセスネットワーク要素が前記第１のＰＤＵの第１のヘッダーから前記データに対応する属性情報を解析し、第３のＰＤＵをカプセル化しコアネットワーク要素に前記第３のＰＤＵを送信し、前記第３のＰＤＵが第２のヘッダー及び前記第２のＰＤＵを含み、ここで、前記第２のヘッダーが前記データに対応する属性情報を含む。
【００４３】
コアネットワーク要素は、第３のＰＤＵを受信した後、第３のＰＤＵの第２のヘッダーから前記データに対応する属性情報を解析し、前記データの属性情報に基づいてコアネットワークの経路構成を確立又は活性化又は修正し、前記経路構成に基づいて前記データを外部ネットワークに送信する。
【００４４】
以上、前記コアネットワーク要素は、コアネットワークの制御ネットワーク要素であっても良い。
【００４５】
方式二として、前記端末がアクセスネットワーク要素に第１のＰＤＵを送信し、前記第１のＰＤＵが第１のヘッダー及び第２のＰＤＵを含み、ここで、前記第２のＰＤＵが前記データに対応する属性情報及び前記データを含む。
【００４６】
例えば、端末のＮＡＳ層は、上位層で送信されたデータを受信した後、ＮＡＳ  ＰＤＵ  (第２のＰＤＵに対応する)をカプセル化し、本発明の実施例においてＮＡＳ  ＰＤＵにデータに対応する属性情報が含まれても良く、ＲＲＣ  ＰＤＵ  (第１のＰＤＵに対応する)をＲＲＣ層でカプセル化し、ここで、ＲＲＣ  ＰＤＵは、ＲＲＣヘッダとＮＡＳ  ＰＤＵとを含む。その後、ＰＤＣＰ層、ＲＬＣ層、ＭＡＣ層、ＰＨＹ層等の下位層プロトコルのカプセル化が行われ、アクセスネットワーク要素に送信される。
【００４７】
アクセスネットワーク要素が端末により送信された第１のＰＤＵを受信し、前記第１のＰＤＵが第１のヘッダー及び第２のＰＤＵを含み、ここで、前記第２のＰＤＵが前記データに対応する属性情報及び前記データを含み、アクセスネットワーク要素が前記第１のＰＤＵに基づいて第３のＰＤＵをカプセル化しコアネットワーク要素に前記第３のＰＤＵを送信し、前記第３のＰＤＵが第２のヘッダー及び前記第２のＰＤＵを含み、
コアネットワーク要素は、第３のＰＤＵを受信した後、第３のＰＤＵから第２のＰＤＵを解析し、第２のＰＤＵから前記データに対応する属性情報を解析し、前記データの属性情報に基づいてコアネットワークの経路構成を確立又は活性化又は修正し、前記経路構成に基づいて前記データを外部ネットワークに送信する。
【００４８】
以上、前記コアネットワーク要素は、コアネットワークの制御ネットワーク要素であっても良い。
【００４９】
本発明の実施例において、データに対応する属性情報は、ＱｏＳフロー情報、ＰＤＵセッション情報、ネットワークスライス情報、データ送信の外部ネットワーク情報、端末の識別情報のうちの少なくとも１つを含む。
【００５０】
ある実施例において、ＱｏＳフロー情報は、データが位置するＱｏＳフローの識別情報であっても良い。
【００５１】
ある実施例において、ＰＤＵセッション情報は、データが位置するＰＤＵセッションのセッション識別情報であっても良い。
【００５２】
ある実施例において、ネットワークスライス情報は、データが位置するネットワークスライスの識別情報及び／又はネットワークスライスのタイプ情報であっても良い。
【００５３】
ある実施例において、データ送信の外部ネットワーク情報は、データネットワークの識別又はアドレス情報等であっても良い。
【００５４】
図３は本発明の実施例におけるデータ伝送方法のフローチャート二であり、図３に示すように、前記データ伝送方法は、以下のステップを含む。
【００５５】
ステップ３０１において、ネットワークが端末にデータ及び前記データに対応する属性情報を送信し、ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含む。
【００５６】
本発明の実施例において、ネットワークは、ネットワーク側のネットワークエンティティーであっても良く、ここで、ネットワークエンティティーが２つの部分を含み、１つがコアネットワーク要素であり、もう１つがアクセスネットワーク要素である。
【００５７】
本発明の実施例において、ネットワークが端末にデータを送信する時に、該データの属性情報を端末に一緒に送信する。さらに、データ及びそのデータの属性情報は、以下の方式で伝送する。
【００５８】
方式一として、コアネットワーク要素がアクセスネットワーク要素に第３のＰＤＵを送信し、前記第３のＰＤＵが第２のヘッダー及び第２のＰＤＵを含み、ここで、前記第２のヘッダーが前記データに対応する属性情報を含み、前記第２のＰＤＵが前記データを含む。前記アクセスネットワーク要素が前記第３のＰＤＵの第２のヘッダーから前記データに対応する属性情報を解析し、第１のＰＤＵをカプセル化し前記端末に前記第１のＰＤＵを送信し、前記第１のＰＤＵが第１のヘッダー及び前記第２のＰＤＵを含み、ここで、前記第１のヘッダーが前記データに対応する属性情報を含む。
【００５９】
方式二として、コアネットワーク要素がアクセスネットワーク要素に第３のＰＤＵを送信し、前記第３のＰＤＵが第２のヘッダー及び第２のＰＤＵを含み、ここで、前記第２のＰＤＵが前記データに対応する属性情報及び前記データを含み、前記アクセスネットワーク要素が前記第３のＰＤＵに基づいて第１のＰＤＵをカプセル化し前記端末に前記第１のＰＤＵを送信し、前記第１のＰＤＵが第１のヘッダー及び前記第２のＰＤＵを含む。
【００６０】
以上の技術案において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００６１】
図４は本発明の実施例におけるデータ伝送装置の構成図一であり、この実施例のデータ伝送装置が端末側に応用され、図４に示すように、前記データ伝送装置は、伝送ユニット４０１を含む。
【００６２】
伝送ユニット４０１は、ネットワークにデータ及び前記データに対応する属性情報を送信するように構成され、ここで、前記データに対応する属性情報は、
ＱｏＳフロー情報、ＰＤＵセッション情報、ネットワークスライス情報、データ送信の外部ネットワーク情報、端末の識別情報のうちの少なくとも１つを含む。
【００６３】
ある実施例において、前記伝送ユニット４０１は、アクセスネットワーク要素に第１のＰＤＵを送信するように構成され、前記第１のＰＤＵが第１のヘッダー及び第２のＰＤＵを含み、
ここで、前記第１のヘッダーが前記データに対応する属性情報を含み、前記第２のＰＤＵが前記データを含む。
【００６４】
ある実施例において、前記伝送ユニット４０１は、アクセスネットワーク要素に第１のＰＤＵを送信するように構成され、前記第１のＰＤＵが第１のヘッダー及び第２のＰＤＵを含み、
ここで、前記第２のＰＤＵが前記データに対応する属性情報及び前記データを含む。
【００６５】
以上の技術案において、前記第１のＰＤＵがＲＲＣ  ＰＤＵであり、前記第２のＰＤＵがＮＡＳ  ＰＤＵである。
【００６６】
図４に示したデータ伝送装置の各ユニットの実現機能は、上記データ伝送方法の説明を参酌して理解されるべきである。図４に示すデータ伝送装置における各ユニットの機能は、プロセッサ上で動作するプログラムによって実現されてもよいし、具体的な論理回路によって実現されてもよい。
【００６７】
図５は本発明の実施例におけるデータ伝送装置の構成図二であり、この実施例におけるデータ伝送装置がネットワーク側に応用され、図５に示すように、前記データ伝送装置は、伝送ユニット５０１を含む。
【００６８】
伝送ユニット５０１は、端末にデータ及び前記データに対応する属性情報を送信するように構成され、ここで、前記データに対応する属性情報は、
ＱｏＳフロー情報、ＰＤＵセッション情報、ネットワークスライス情報、データ送信の外部ネットワーク情報、端末の識別情報のうちの少なくとも１つを含む。
【００６９】
ある実施例において、前記伝送ユニット５０１がアクセスネットワーク伝送ユニット５０１１及びコアネットワーク伝送ユニット５０１２を含み、
アクセスネットワーク伝送ユニット５０１１は、端末により送信された第１のＰＤＵを受信し、前記第１のＰＤＵが第１のヘッダー及び第２のＰＤＵを含み、ここで、前記第１のヘッダーが前記データに対応する属性情報を含み、前記第２のＰＤＵが前記データを含み、前記第１のＰＤＵの第１のヘッダーから前記データに対応する属性情報を解析し、第３のＰＤＵをカプセル化しコアネットワーク要素に前記第３のＰＤＵを送信し、前記第３のＰＤＵが第２のヘッダー及び前記第２のＰＤＵを含み、ここで、前記第２のヘッダーが前記データに対応する属性情報を含み、
コアネットワーク伝送ユニット５０１２は、前記データの属性情報に基づいてコアネットワークの経路構成を確立又は活性化又は修正し、前記経路構成に基づいて前記データを外部ネットワークに送信するように構成される。
【００７０】
ある実施例において、前記伝送ユニット５０１がアクセスネットワーク伝送ユニット５０１１及びコアネットワーク伝送ユニット５０１２を含み、
アクセスネットワーク伝送ユニット５０１１は、アクセスネットワーク要素に第３のＰＤＵを送信するように構成され、前記第３のＰＤＵが第２のヘッダー及び第２のＰＤＵを含み、ここで、前記第２のＰＤＵが前記データに対応する属性情報及び前記データを含み、
コアネットワーク伝送ユニット５０１２は、前記第３のＰＤＵに基づいて第１のＰＤＵをカプセル化し、前記端末に前記第１のＰＤＵを送信するように構成され、前記第１のＰＤＵが第１のヘッダー及び前記第２のＰＤＵを含む。
【００７１】
以上の技術案において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００７２】
上記の方式は、ネットワーク側の下り伝送に対するものであり、アクセスネットワーク伝送ユニット５０１１がアクセスネットワーク要素により実現され、コアネットワーク伝送ユニット５０１２がコアネットワーク要素により実現される。以下、ネットワーク側の上り受信について説明するが、ネットワーク側の上り受信は端末側の上り伝送に対応するものである。
【００７３】
伝送ユニット５０１は、端末により送信されたデータ及び前記データに対応する属性情報を受信し、ここで、前記データに対応する属性情報は、ＱｏＳフロー情報、ＰＤＵセッション情報、ネットワークスライス情報、データ送信の外部ネットワーク情報、端末の識別情報のうちの少なくとも１つを含み、前記データの属性情報に基づいてコアネットワークの経路構成を確立又は活性化又は修正し、前記経路構成に基づいて前記データを外部ネットワークに送信するように構成される。
【００７４】
ある実施例において、前記伝送ユニット５０１がアクセスネットワーク伝送ユニット５０１１及びコアネットワーク伝送ユニット５０１２を含み、
アクセスネットワーク伝送ユニット５０１１は、端末により送信された第１のＰＤＵを受信し、前記第１のＰＤＵが第１のヘッダー及び第２のＰＤＵを含み、ここで、前記第１のヘッダーが前記データに対応する属性情報を含み、前記第２のＰＤＵが前記データを含み、前記第１のＰＤＵの第１のヘッダーから前記データに対応する属性情報を解析し、第３のＰＤＵをカプセル化しコアネットワーク要素に前記第３のＰＤＵを送信し、前記第３のＰＤＵが第２のヘッダー及び前記第２のＰＤＵを含み、ここで、前記第２のヘッダーが前記データに対応する属性情報を含み、
コアネットワーク伝送ユニット５０１２は、前記データの属性情報に基づいてコアネットワークの経路構成を確立又は活性化又は修正し、前記経路構成に基づいて前記データを外部ネットワークに送信するように構成される。
【００７５】
ある実施例において、前記伝送ユニット５０１がアクセスネットワーク伝送ユニット５０１１及びコアネットワーク伝送ユニット５０１２を含み、
アクセスネットワーク伝送ユニット５０１１は、端末により送信された第１のＰＤＵを受信し、前記第１のＰＤＵが第１のヘッダー及び第２のＰＤＵを含み、ここで、前記第２のＰＤＵが前記データに対応する属性情報及び前記データを含み、前記第１のＰＤＵに基づいて第３のＰＤＵをカプセル化しコアネットワーク要素に前記第３のＰＤＵを送信し、前記第３のＰＤＵが第２のヘッダー及び前記第２のＰＤＵを含み、
コアネットワーク伝送ユニット５０１２は、前記データの属性情報に基づいてコアネットワークの経路構成を確立又は活性化又は修正し、前記経路構成に基づいて前記データを外部ネットワークに送信するように構成される。
【００７６】
以上の技術案において、前記第１のＰＤＵがＲＲＣ  ＰＤＵであり、前記第２のＰＤＵがＮＡＳ  ＰＤＵであり、前記第３のＰＤＵがＮ２−Ｃ  ＰＤＵである。
【００７７】
図５に示したデータ伝送装置の各ユニットの実現機能は、上記データ伝送方法の説明を参酌して理解されるべきである。図５に示すデータ伝送装置における各ユニットの機能は、プロセッサ上で動作するプログラムによって実現されてもよいし、具体的な論理回路によって実現されてもよい。
【００７８】
本発明の実施例に係る上記データ伝送装置は、ソフトウェア機能ブロックの形で実現され、独立した製品として販売または使用される場合には、コンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ(  ＲＯＭ、Ｒｅａｄ  Ｏｎｌｙ  Ｍｅｍｏｒｙ  )、磁気ディスク、光ディスク等のプログラムコードを記憶できる種々の媒体を用いることができる。このように、本発明の実施例は、ハードウェアとソフトウェアのいかなる組み合わせにも限定されない。
【００７９】
従って、本発明の実施例は、プロセッサによって実行されたときに本発明の実施例の上述のデータ伝送方法を実現するコンピュータ実行可能命令を記憶したコンピュータ記憶媒体をさらに提供する。
【００８０】
図６は、本発明の実施例のコンピュータデバイスの構成を示す図であり、本発明の実施例のコンピュータデバイスは、端末でもネットワークデバイスでもよく、図６に示すように、コンピュータデバイス１００は、一つ又は複数(図には一つのみ示す)のプロセッサ１００２  (プロセッサ１００２は、マイクロプロセッサ(  ＭＣＵ、Ｍｉｃｒｏ  Ｃｏｎｔｒｏｌｌｅｒ  Ｕｎｉｔ  )又はプログラマブルロジックデバイス(  ＦＰＧＡ、Ｆｉｅｌｄ  Ｐｒｏｇｒａｍｍａｂｌｅ  Ｇａｔｅ  Ａｒｒａｙ  )などの処理装置を含んでもよいが、これらに限定されない)、データを格納するためのメモリ１００４、及び通信機能のための伝送装置１００６を含んでもよい。図６に示す構成は、例示であり、上述した電子装置の構成に限定されないことは、当業者に理解されるところである。例えば、コンピュータ装置１００は、図６に示されるよりも多いか少ない構成要素をさらに含んでもよく、又は図６に示されるものとは異なる構成を有してもよい。
【００８１】
メモリ１００４は、本発明の実施例に係るデータ伝送方法に対応するプログラム命令/モジュールのようなアプリケーションのソフトウェアプログラム及びモジュールを格納するために使用され、プロセッサ１００２は、メモリ１００４に格納されたソフトウェアプログラム及びモジュールを実行することによって、様々な機能アプリケーション及びデータ処理を実行する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【００８２】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ(  ＮＩＣ、Ｎｅｔｗｏｒｋ  Ｉｎｔｅｒｆａｃｅ  Ｃｏｎｔｒｏｌｌｅｒ  )を含む。一例では、伝送装置１００６は、無線方式でインターネットと通信するための無線周波数(  ＲＦ、Ｒａｄｉｏ  Ｆｒｅｑｕｅｎｃｙ  )モジュールであり得る。
【００８３】
本発明の実施例に記載した技術的手段は、矛盾なき限り、任意に組み合わせることができる。
【００８４】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００８５】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【００８６】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよく、上記の統合されたユニットは、ハードウェアの形態で実現されてもよいし、ハードウェア及びソフトウェア機能ユニットの形態で実現されてもよい。
【００８７】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021514561.tif 000003
【図２】
2021514561.tif 000004
【図３】
2021514561.tif 000005
【図４】
2021514561.tif 000006
【図５】
2021514561.tif 000007
【図６】
2021514561.tif 000008
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
端末がネットワークにデータ及び前記データに対応する属性情報を送信することを含み、
前記データに対応する属性情報は、
サービス品質ＱｏＳフロー情報、プロトコルデータユニットＰＤＵセッション情報、ネットワークスライス情報、データ送信の外部ネットワーク情報、端末の識別情報のうちの少なくとも１つを含む
ことを特徴とするデータ伝送方法。
【請求項２】
前記端末がネットワークにデータ及び前記データに対応する属性情報を送信することは、
前記端末がアクセスネットワーク要素に第１のＰＤＵを送信することを含み、
前記第１のＰＤＵが第１のヘッダー及び第２のＰＤＵを含み、
前記第１のヘッダーが前記データに対応する属性情報を含み、前記第２のＰＤＵが前記データを含む
ことを特徴とする請求項１に記載のデータ伝送方法。
【請求項３】
前記端末がネットワークにデータ及び前記データに対応する属性情報を送信することは、
前記端末がアクセスネットワーク要素に第１のＰＤＵを送信することを含み、前記第１のＰＤＵが第１のヘッダー及び第２のＰＤＵを含み、
前記第２のＰＤＵが前記データに対応する属性情報及び前記データを含む
ことを特徴とする請求項１に記載のデータ伝送方法。
【請求項４】
前記第１のＰＤＵがＲＲＣ ＰＤＵであり、前記第２のＰＤＵが非アクセス層ＮＡＳ ＰＤＵである
ことを特徴とする請求項２又は３に記載のデータ伝送方法。
【請求項５】
ネットワークが端末にデータ及び前記データに対応する属性情報を送信することを含み、
前記データに対応する属性情報は、
ＱｏＳフロー情報、ＰＤＵセッション情報、ネットワークスライス情報、データ送信の外部ネットワーク情報、端末の識別情報のうちの少なくとも１つを含む
ことを特徴とするデータ伝送方法。
【請求項６】
前記ネットワークが端末にデータ及び前記データに対応する属性情報を送信することは、
コアネットワーク要素がアクセスネットワーク要素に第３のＰＤＵを送信することと、
前記アクセスネットワーク要素が前記第３のＰＤＵの第２のヘッダーから前記データに対応する属性情報を解析し、第１のＰＤＵをカプセル化し前記端末に前記第１のＰＤＵを送信することとを含み、
前記第３のＰＤＵが第２のヘッダー及び第２のＰＤＵを含み、前記第２のヘッダーが前記データに対応する属性情報を含み、前記第２のＰＤＵが前記データを含み、前記第１のＰＤＵが第１のヘッダー及び前記第２のＰＤＵを含み、前記第１のヘッダーが前記データに対応する属性情報を含む
ことを特徴とする請求項５に記載のデータ伝送方法。
【請求項７】
前記ネットワークが端末にデータ及び前記データに対応する属性情報を送信することは、
コアネットワーク要素がアクセスネットワーク要素に第３のＰＤＵを送信することと、
前記アクセスネットワーク要素が前記第３のＰＤＵに基づいて第１のＰＤＵをカプセル化し前記端末に前記第１のＰＤＵを送信することとを含み、
前記第３のＰＤＵが第２のヘッダー及び第２のＰＤＵを含み、前記第２のＰＤＵが前記データに対応する属性情報及び前記データを含み、前記第１のＰＤＵが第１のヘッダー及び前記第２のＰＤＵを含む
ことを特徴とする請求項５に記載のデータ伝送方法。
【請求項８】
前記第１のＰＤＵがＲＲＣ ＰＤＵであり、前記第２のＰＤＵがＮＡＳ ＰＤＵであり、前記第３のＰＤＵがＮ２−Ｃ ＰＤＵである
ことを特徴とする請求項６又は７に記載のデータ伝送方法。
【請求項９】
ネットワークが端末により送信されたデータ及び前記データに対応する属性情報を受信することと、
前記ネットワークが前記データの属性情報に基づいて、コアネットワークの経路構成を確立、活性化又は修正し、前記経路構成に基づいて前記データを外部ネットワークに送信することとを含み、
前記データに対応する属性情報は、ＱｏＳフロー情報、ＰＤＵセッション情報、ネットワークスライス情報、データ送信の外部ネットワーク情報、端末の識別情報のうちの少なくとも１つを含む
ことを特徴とするデータ伝送方法。
【請求項１０】
前記ネットワークが端末により送信されたデータ及び前記データに対応する属性情報を受信することは、
前記アクセスネットワーク要素が端末により送信された第１のＰＤＵを受信することと、
前記アクセスネットワーク要素が前記第１のＰＤＵの第１のヘッダーから前記データに対応する属性情報を解析し、第３のＰＤＵをカプセル化しコアネットワーク要素に前記第３のＰＤＵを送信することとを含み、
前記第１のＰＤＵが第１のヘッダー及び第２のＰＤＵを含み、前記第１のヘッダーが前記データに対応する属性情報を含み、前記第２のＰＤＵが前記データを含み、前記第３のＰＤＵが第２のヘッダー及び前記第２のＰＤＵを含み、前記第２のヘッダーが前記データに対応する属性情報を含む
ことを特徴とする請求項９に記載のデータ伝送方法。
【請求項１１】
前記ネットワークが端末により送信されたデータ及び前記データに対応する属性情報を受信することは、
前記アクセスネットワーク要素が端末により送信された第１のＰＤＵを受信することと、
前記アクセスネットワーク要素が前記第１のＰＤＵに基づいて第３のＰＤＵをカプセル化しコアネットワーク要素に前記第３のＰＤＵを送信することとを含み、
前記第１のＰＤＵが第１のヘッダー及び第２のＰＤＵを含み、前記第２のＰＤＵが前記データに対応する属性情報及び前記データを含み、前記第３のＰＤＵが第２のヘッダー及び前記第２のＰＤＵを含む
ことを特徴とする請求項９に記載のデータ伝送方法。
【請求項１２】
前記第１のＰＤＵがＲＲＣ ＰＤＵであり、前記第２のＰＤＵがＮＡＳ ＰＤＵであり、  前記第３のＰＤＵがＮ２−Ｃ ＰＤＵである
ことを特徴とする請求項１０又は１１に記載のデータ伝送方法。
【請求項１３】
伝送ユニットを備えるデータ伝送装置であって、
前記伝送ユニットは、請求項１〜１２のいずれか1項に記載のデータ伝送方法を実現するように構成される
ことを特徴とするデータ伝送装置。
【請求項１４】
プロセッサによって実行されると、請求項１〜４のいずれか１項に記載の方法ステップ、または請求項５〜８のいずれか１項に記載の方法ステップ、または請求項９〜１２のいずれか１項に記載の方法ステップを実施するコンピュータ実行可能命令を記憶している
ことを特徴とするコンピュータ記憶媒体。
【国際調査報告】
2021514561.tif 000009
2021514561.tif 000010
2021514561.tif 000011
2021514561.tif 000012